(57)【特許請求の範囲】
【請求項１】
透過型の液晶パネルと、該液晶パネルに背面から光を照射する、少なくともランプ、導電性のランプリフレクタおよび導光板を含む面状光源装置と、前記液晶パネルの駆動に必要な信号を供給するために当該液晶パネルに接続された回路基板と、前記液晶パネル、面状光源装置および回路基板を収納し保持する機構部品とを備えた平面型液晶表示装置であって、前記機構部品が、少なくとも樹脂フレームおよび液晶表示装置の表示面側のフロントフレームからなり、前記フロントフレームが金属製の金属部品であり、該フロントフレームがランプリフレクタに螺着され、前記ランプリフレクタが該フロントフレームを介して接地されていることを特徴とする液晶表示装置。
【請求項２】
透過型の液晶パネルと、該液晶パネルに背面から光を照射する、少なくともランプ、導電性のランプリフレクタおよび導光板を含む面状光源装置と、前記液晶パネルの駆動に必要な信号を供給するために当該液晶パネルに接続された回路基板と、前記液晶パネル、面状光源装置および回路基板を収納し保持する機構部品とを備えた平面型液晶表示装置であって、前記機構部品が、少なくとも液晶表示装置の表示面側のフロントフレームおよび液晶表示装置の裏面側のリアフレームからなり、前記フロントフレームおよびリアフレームが金属製の金属部品であり、該フロントフレームまたはリアフレームがランプリフレクタに螺着され、前記ランプリフレクタが該フロントフレームまたはリアフレームを介して接地されていることを特徴とする液晶表示装置。
【請求項３】
透過型の液晶パネルと、該液晶パネルに背面から光を照射する、少なくともランプ、導電性のランプリフレクタおよび導光板を含む面状光源装置と、前記液晶パネルの駆動に必要な信号を供給するために当該液晶パネルに接続された回路基板と、前記液晶パネル、面状光源装置および回路基板を収納し保持する機構部品とを備えた平面型液晶表示装置であって、前記機構部品が、樹脂フレーム、液晶表示装置の表示面側のフロントフレームおよび前記ランプリフレクタを覆うように配置されるランプカバーからなり、前記ランプカバーが金属製の金属部品であり、該ランプカバーがランプリフレクタに螺着され、前記ランプリフレクタが該フロントフレームを介して接地されていることを特徴とする液晶表示装置。
【請求項４】
前記螺着手段が、ネジとめねじ加工であること、またはねじとかしめナットであることを特徴とする請求の範囲第１、２または３のいずれか１項記載の液晶表示装置。
【請求項５】
前記螺着手段による固着箇所において、ランプリフレクタと金属部品とともに他の構成部品を単数または複数同時に固着することを特徴とする請求の範囲第１、２または３のいずれか１項記載の液晶表示装置。
【請求項６】
透過型の液晶パネルと、該液晶パネルに背面から光を照射する、少なくともランプ、導電性のランプリフレクタおよび導光板を含む面光源装置と、前記液晶パネルの駆動に必要な信号を供給するために当該液晶パネルに接続された回路基板と、前記液晶パネル、面光源装置および回路基板を収納し保持する機構部品とを備えた平面型液晶表示装置であって、前記機構部品が、少なくとも樹脂フレームおよび液晶表示装置の表示面側のフロントフレームからなり、前記フロントフレームが金属製の金属部品であり、該フロントフレームがランプリフレクタに塑性加工により挟着され、前記ランプリフレクタが該フロントフレームを介して接地されてなることを特徴とする液晶表示装置。
【請求項７】
透過型の液晶パネルと、該液晶パネルに背面から光を照射する、少なくともランプ、導電性のランプリフレクタおよび導光板を含む面光源装置と、前記液晶パネルの駆動に必要な信号を供給するために当該液晶パネルに接続された回路基板と、前記液晶パネル、面光源装置および回路基板を収納し保持する機構部品とを備えた平面型液晶表示装置であって、前記機構部品が少なくとも液晶表示装置の表示面側のフロントフレームおよび液晶表示装置の裏面側のリアフレームからなり、前記フロントフレームおよびリアフレームが金属製の金属部品であり、該フロントフレームまたはリアフレームがランプリフレクタに塑性加工により挟着され、前記ランプリフレクタが該フロントフレームを介して接地されてなることを特徴とする液晶表示装置。
【請求項８】
透過型の液晶パネルと、該液晶パネルに背面から光を照射する、少なくともランプ、導電性のランプリフレクタおよび導光板を含む面光源装置と、前記液晶パネルの駆動に必要な信号を供給するために当該液晶パネルに接続された回路基板と、前記液晶パネル、面光源装置および回路基板を収納し保持する機構部品とを備えた平面型液晶表示装置であって、前記機構部品が、樹脂フレーム、液晶表示装置の表示面側のフロントフレームおよび前記ランプリフレクタを覆うように配置されるランプカバーからなり、前記ランプカバーが金属製の金属部品であり、該ランプカバーがランプリフレクタに塑性加工により挟着され、前記ランプリフレクタが該フロントフレームを介して接地されてなることを特徴とする液晶表示装置。
【請求項９】
前記挟着手段が、一方の部品に設けられる突起片または突起円筒体を相対する部品に形成した貫通孔に通したのち押しつぶすことによりなされる請求の範囲第６、７または８のいずれか１項記載の液晶表示装置。
【請求項１０】
前記塑性加工による挟着手段による固着箇所において、ランプリフレクタと金属部品とともに他の構成部品を単数または複数同時に固着することを特徴とする請求の範囲第６、７または８のいずれか１項記載の液晶表示装置。
【請求項１１】
透過型の液晶パネルと、該液晶パネルに背面から光を照射する、少なくともランプ、導電性のランプリフレクタおよび導光板を含む面光源装置と、前記液晶パネルの駆動に必要な信号を供給するために当該液晶パネルに接続された回路基板と、前記液晶パネル、面光源装置および回路基板を収納し保持する機構部品とを備えた平面型液晶表示装置であって、前記機構部品が、少なくとも樹脂フレームおよび液晶表示装置の表示面側のフロントフレームからなり、前記フロントフレームが金属製の金属部品であり、該フロントフレームがランプリフレクタにスナップ圧着手段により固着され、前記ランプリフレクタが該フロントフレームを介して接地されてなることを特徴とする液晶表示装置。
【請求項１２】
透過型の液晶パネルと、該液晶パネルに背面から光を照射する、少なくともランプ、導電性のランプリフレクタおよび導光板を含む面光源装置と、前記液晶パネルの駆動に必要な信号を供給するために当該液晶パネルに接続された回路基板と、前記液晶パネル、面光源装置および回路基板を収納し保持する機構部品とを備えた平面型液晶表示装置であって、前記機構部品が、少なくとも液晶表示装置の表示面側のフロントフレームおよび液晶表示装置の裏面側のリアフレームからなり、前記フロントフレームおよびリアフレームが金属製の金属部品であり、該フロントフレームまたはリアフレームがランプリフレクタにスナップ圧着手段により固着され、前記ランプリフレクタが該フロントフレームまたはリアフレームを介して接地されてなることを特徴とする液晶表示装置。
【請求項１３】
透過型の液晶パネルと、該液晶パネルに背面から光を照射する、少なくともランプ、導電性のランプリフレクタおよび導光板を含む面光源装置と、前記液晶パネルの駆動に必要な信号を供給するために当該液晶パネルに接続された回路基板と、前記液晶パネル、面光源装置および回路基板を収納し保持する機構部品とを備えた平面型液晶表示装置であって、前記機構部品が、樹脂フレーム、液晶表示装置の表示面側のフロントフレームおよび前記ランプリフレクタを覆うように配置されるランプカバーからなり、前記ランプカバーがランプリフレクタにスナップ圧着手段により固着され、前記ランプリフレクタが該フロントフレームを介して接地されてなることを特徴とする液晶表示装置。
【請求項１４】
前記スナップ圧着手段が長手方向にスリットを有するピン部材からなる請求の範囲第１１、１２または１３のいずれか１項記載の液晶表示装置。
【請求項１５】
前記スナップ圧着手段による固着箇所において、ランプリフレクタと金属部品とともに他の構成部品を単数または複数同時に固着することを特徴とする請求の範囲第１１、１２または１３のいずれか１項記載の液晶表示装置。
【発明の詳細な説明】
【技術分野】
【０００１】
本発明は液晶表示装置に関する。さらに詳しくは、電気的雑音（ノイズ）による表示不良を低減させ、よりクリアな画像を得ることができる液晶表示装置に関する。
【背景技術】
【０００２】
従来の液晶表示装置としては、図１０に示されるように、液晶駆動用回路用のプリント基板２を備えた液晶パネル１、ランプ３、ランプリフレクタ４、ランプカバー（裏面補強板）１１、複数の光学シート５、導光板６、反射シート７、ランプカバー１１と反射シート７を支持し固定するリアフレーム１０およびこれらを固定するフロントフレーム９からなるものがある。
【０００３】
この従来の液晶表示装置において、狭額縁化が要求されるにつれて、導電性のランプリフレクタを有する装置では、通常、電気的雑音による表示不良が問題視されており、これを避けるためランプリフレクタをＧＮＤに落とす（接地する）必要がある。このランプリフレクタの接地方法としては、ランプリフレクタを金属製の枠体であるランプカバー１１、リア（裏面）フレーム１０またはフロントフレーム９を介して電気的にＧＮＤに接触させる方法が一般的である。
【０００４】
たとえば、液晶表示装置全体を金属製の枠体のフロントフレームのかしめにより固定する際に、同時にかしめ片をランプリフレクタに接触させて接地するという方法や、ランプリフレクタと金属製の枠体のフロントフレームを電気伝導性のテープ、たとえば銅テープによって導通させることにより接地するという方法や、金属製の枠体に設けられる突起をランプリフレクタと接触させることで接地するという方法またはランプリフレクタと金属製の枠体をはんだ付けすることで導通させることにより接地するという方法が行なわれている。
【０００５】
しかしながら、従来のかしめ片および突起により接触させる方法の液晶表示装置では、液晶表示装置に衝撃が加わった際に、金属製の枠体とランプリフレクタが接触不良を起こすことがあり確実に接地できないという問題がある。また電気伝導性のテープおよびはんだ付けによる方法の液晶表示装置では、液晶表示装置を組み立てる際、コスト高になるという問題がある。
【０００６】
本発明は、叙上の事情に鑑み、電気的雑音による表示不良を低減させ、よりクリアな画像を得ることができる液晶表示装置を提供することを目的とする。
【発明の開示】
【０００７】
本発明の液晶表示装置は、透過型の液晶パネルと、該液晶パネルに背面から光を照射する、少なくともランプ、導電性のランプリフレクタおよび導光板を含む面光源装置と、前記液晶パネルの駆動に必要な信号を供給するために当該液晶パネルに接続された回路基板と、前記液晶パネル、面光源装置および回路基板を収納し保持する機構部品とを備えた平面型液晶表示装置であって、前記機構部品が少なくとも金属部品を含んでおり、該金属部品がランプリフレクタに螺着され、前記ランプリフレクタが該金属部品を介して接地されることを特徴とする。
【０００８】
また前記ランプリフレクタと接続される金属部品が、少なくとも液晶表示装置の表示面側の一部と側面の一部を形成するのが好ましい。
【０００９】
また前記ランプリフレクタと接続される金属部品が、少なくとも液晶表示装置の裏面の一部を形成することを特徴とする請求項１記載の液晶表示装置。
【００１０】
また前記ランプリフレクタと接続される金属部品が、少なくとも液晶表示装置の裏面の一部と側面の一部を形成するのが好ましい。
【００１１】
また前記ランプリフレクタと接続される金属部品が、ランプリフレクタを覆うように配置されるのが好ましい。
【００１２】
また前記螺着手段が、ネジとめねじ加工であること、またはねじとかしめナットであるのが好ましい。
【００１３】
また前記螺着手段による固着箇所において、ランプリフレクタと金属材料とともに他の構成部品を単数または複数同時に固着するのが好ましい。
【００１４】
また本発明の液晶表示装置は、透過型の液晶パネルと、該液晶パネルに背面から光を照射する、少なくともランプ、導電性のランプリフレクタおよび導光板を含む面光源装置と、前記液晶パネルの駆動に必要な信号を供給するために当該液晶パネルに接続された回路基板と、前記液晶パネル、面光源装置および回路基板を収納し保持する機構部品とを備えた平面型液晶表示装置であって、前記機構部品が少なくとも金属部品を含んでおり、該金属部品がランプリフレクタに塑性加工により挟着されてなることを特徴とする。
【００１５】
また前記挟着手段が、一方の部品に設けられる突起片または突起円筒体を相対する部品に形成した貫通孔に通したのち押しつぶすことによりなされるのが好ましい。
【００１６】
また前記塑性加工による挟着手段による固着箇所において、ランプリフレクタと金属材料とともに他の構成部品を単数または複数同時に固着するのが好ましい。
【００１７】
さらに本発明の液晶表示装置は、透過型の液晶パネルと、該液晶パネルに背面から光を照射する、少なくともランプ、導電性のランプリフレクタおよび導光板を含む面光源装置と、前記液晶パネルの駆動に必要な信号を供給するために当該液晶パネルに接続された回路基板と、前記液晶パネル、面光源装置および回路基板を収納し保持する機構部品とを備えた平面型液晶表示装置であって、前記機構部品が少なくとも金属部品を含んでおり、該金属部品がランプリフレクタにスナップ圧着手段により脱着自在に固着され、前記ランプリフレクタが該金属部品を介して接地されてなることを特徴とする。
【００１８】
また前記スナップ圧着手段が長手方向にスリットを有するピン部材からなるのが好ましい。
【００１９】
また前記スナップ圧着手段による固着箇所において、ランプリフレクタと金属材料とともに他の構成部品を単数または複数同時に固着するのが好ましい。
【００２０】
電気的雑音による表示品位の劣化を防止するためには、前述のようにランプリフレクタを回路上の電気的ＧＮＤに確実に接続すればよい。しかしながら、ランプリフレクタと回路基板のＧＮＤ間には物理的な距離が存在し、これらを直接接続することは極めて困難である。よって、本発明では液晶表示装置の側面からのねじ止め、塑性加工およびスナップ圧着を用いて他の金属部品を介してランプリフレクタを確実にＧＮＤへ接続することとした。
【発明を実施するための最良の形態】
【００２１】
以下、添付図面に基づいて本発明の液晶表示装置を説明する。
【００２２】
図１は本発明の第１の実施の形態である。本発明にかかわる液晶表示装置は、液晶パネル１と、ドライバーＩＣの搭載されたＦＰＣを介してパネルに接続される回路基板２と、ランプ３、ランプリフレクタ４、１枚以上の光学シート５、導光板６および反射シート７からなる面光源装置と、樹脂フレーム８およびフロントフレーム９からなる機構部品とから構成されており、該フロントフレーム９が金属製の金属部品であり、前記ランプリフレクタ４と液晶表示装置の表示面側のフロントフレーム９が螺着手段により着脱自在に螺着（固着）されている。
【００２３】
図２は本発明の第２の実施の形態である。本発明にかかわる液晶表示装置は、液晶パネル１と、ドライバーＩＣの搭載されたＦＰＣを介してパネルに接続される回路基板２と、ランプ３、ランプリフレクタ４、１枚以上の光学シート５、導光板６および反射シート７からなる面光源装置と、樹脂フレーム８、フロントフレーム９およびリア（裏面）フレーム１０からなる機構部品とから構成されており、該リアフレーム１０が金属製の金属部品であり、前記ランプリフレクタ４と液晶表示装置の裏面側のリアフレーム１０が螺着手段により着脱自在に固着されている。
【００２４】
図３は本発明の第３の実施の形態である。本発明の液晶表示装置は液晶パネル１と、ドライバーＩＣの搭載されたＦＰＣを介してパネルに接続される回路基板２と、ランプ３、ランプリフレクタ４、１枚以上の光学シート５、導光板６および反射シート７からなる面光源装置と、樹脂フレーム８、フロントフレーム９、および裏面補強板であるランプカバー１１からなる機構部品とから構成されており、該ランプカバー１１が金属製の金属部品であり、前記ランプリフレクタ４と該ランプリフレクタを覆うように配置されるランプカバー１１が螺着手段により着脱自在に固着されている。
【００２５】
前記ランプリフレクタ４には、図４（ａ）に示されるように結合部として側面１２に雌ネジ加工が施されたネジ孔１３が形成されている（バーリングなど）。該ランプリフレクタ４は金属製のフロントフレーム９の側部に設けた孔１４に挿入されるネジ１５によりねじ止め固定されている。本実施の形態ではランプリフレクタ４にネジ加工を施したが、図４（ｂ）に示すようにフロントフレーム９にネジ孔１４ａの加工を施し、ランプリフレクタ４に設けた孔１３ａに挿入されるネジ１５によりねじ止めする方法も可能である。またランプリフレクタが前述のようにねじ止めでフロントフレームと機械的、電気的に接続している限り、接続位置、個数についての制限はない。
【００２６】
なお、本実施の形態では、ランプリフレクタと金属製のフロントフレームをネジ止めにより接地しているが、本発明においては、これに限定されるものではなく、金属製の枠体であるフロントフレームに代えて、図２に示すように金属製の裏面フレーム１０とランプリフレクタ４、または図３に示すように金属製のランプカバー１１とランプリフレクタ４をネジ止めにより接地することもできる。これらの場合、裏面フレーム１０とランプカバー１１には貫通穴１０ａ、１１ａを形成しておく。
【００２７】
またフロントフレームとランプリフレクタとが螺着手段により固着されているが、前記螺着手段に代えて、たとえば図５(a)に示されるようにランプリフレクタ４の突起部１６に設けられる突起片１７とフロントフレーム９の側部に形成される矩形状の貫通孔１８とからなる狭着手段を用いることができる。かかる狭着手段を用いることにより、図５(b)に示されるように、前記突起片１７を貫通孔に差し込んだのち、突起片１７の先端部を塑性加工により折り曲げてフロントフレーム９に挟着させる。これにより、ランプリフレクタ３をフロントフレーム７に接触させ、導通させることができる。または図６（ａ）に示されるように、ランプリフレクタ４の突起部１６に設けられる突起円筒体１９と、フロントフレーム９の側部に形成される円形状の貫通孔１４とからなる挟着手段を用いることにより、図６（ｂ）に示されるように、前記突起円筒体１９を貫通孔１４に差し込んだのち、突起円筒体１９の先端外周縁部を塑性加工により外方に押し潰して、ランプリフレクタ４をフロントフレーム９に挟着させる。これにより、ランプリフレクタ４をフロントフレーム９に接触させ、導通させることができる。本実施の形態ではランプリフレクタの突起円筒体とフロントフレームの側部の円形状の貫通孔を設けたが、図７（ａ）〜（ｂ）に示すようにフロントフレーム９に突起円筒体１９ａを設けるとともに、ランプリフレクタ４の突起部１６に円形状の貫通孔１４ａを設け、前記突起円筒体１９ａを突起部１６の貫通孔に差し込んだのち、突起円筒体１９ａの先端外周縁部を塑性加工により外方に押し潰すことにより挟着する方法もできる。
【００２８】
なお、本実施の形態では、ランプリフレクタと金属製のフロントフレームを挟着手段により接地しているが、本発明においては、これに限定されるものではなく、金属製の枠体であるフロントフレームに代えて、金属製の裏面フレームとランプリフレクタ、または金属製のランプカバーとランプリフレクタを挟着手段により接地することもできる。
【００２９】
さらに本発明では、前記螺着手段に代えて、たとえば図８に示されるようにその長手方向に貫通するスリット２０を有する弾性変形が可能なスナップ圧着手段であるピン部材２１をランプリフレクタ４と金属製の枠体、たとえばフロントフレーム９とに形成される貫通孔２２、２３に圧入し、前記ピン部材２１における弾性変形により、ランプリフレクタ４とフロントフレーム９とを固着することもできる。
【００３０】
なお、本実施の形態では、ランプリフレクタと金属製のフロントフレームをピン部材により接地しているが、本発明においては、これに限定されるものではなく、金属製の枠体であるフロントフレームに代えて、金属製の裏面フレームとランプリフレクタまたは金属製のランプカバーとランプリフレクタをピン部材により接地することもできる。
【００３１】
また図９に示すように、ランプリフレクタ４と他の金属部品の接続に際しては必ずしも２つの部品の接続のみならず、たとえばランプリフレクタ４とフロントフレーム９、リアフレーム１０および／またはランプカバー１１などの３つ以上の部品を同時に固着することもできる。
【産業上の利用可能性】
【００３２】
本発明によれば、螺着手段、塑性加工またはスナップ圧着の処置により、他のフロントフレーム、リアフレーム、ランプカバーなどの金属部品と電気的に接続されたランプリフレクタは、これらの金属部品を介して回路基板のＧＮＤと最終的に接続されることにより電気的雑音に強い液晶表示装置を実現することができる。
【図面の簡単な説明】
【００３３】
【図１】本発明の液晶表示装置の第１の実施の形態を示す分解斜視図である。
【図２】本発明の液晶表示装置の第２の実施の形態を示す分解斜視図である。
【図３】本発明の液晶表示装置の第３の実施の形態を示す分解斜視図である。
【図４】結合部の拡大図である。
【図５】狭着手段の実施の形態を示す斜視図である。
【図６】狭着手段の他の実施の形態を示す斜視図である。
【図７】狭着手段のさらに他の実施の形態を示す斜視図である。
【図８】スナップ圧着手段の一実施の形態を示す斜視図である。
【図９】本発明における結合部の他の結合状態を説明する斜視図である。
【図１０】従来の液晶表示装置の一例を示す分解斜視図である。
【図１】
0004051469.tif 000002
【図２】
0004051469.tif 000003
【図３】
0004051469.tif 000004
【図４（ａ）】
0004051469.tif 000005
【図４（ｂ）】
0004051469.tif 000006
【図５（ａ）】
0004051469.tif 000007
【図５（ｂ）】
0004051469.tif 000008
【図６（ａ）】
0004051469.tif 000009
【図６（ｂ）】
0004051469.tif 000010
【図７（ａ）】
0004051469.tif 000011
【図７（ｂ）】
0004051469.tif 000012
【図８】
0004051469.tif 000013
【図９】
0004051469.tif 000014
【図１０】
0004051469.tif 000015